(57)【特許請求の範囲】
【請求項１】
遊技球を通す供給側球通路と、
該供給側球通路から受け入れた遊技球を送出する送出手段と、
少なくとも第１の回転方向に回転することによって、上記送出手段を駆動する回転駆動手段と
上記回転駆動手段が第１の回転方向に回転駆動された場合に、該送出手段によって送出された遊技球を第１の球通路に導くと共に、第２の回転方向に回転駆動された場合には、上記遊技球を第２の球通路に導く球通路切換手段と
を備え、
上記球通路切換手段を上記回転駆動手段が第１の回転方向に回転駆動された場合に作動する第１方向作動機構と、上記回転駆動手段が第２の回転方向に回転駆動された場合に作動する第２方向作動機構と、上記第１方向作動機構が作動することによって第１の球通路に遊技球を導くと共に、上記第２方向作動機構が作動することによって第２の球通路に遊技球を導く弁、又は案内通路とにした
ことを特徴とする遊技球供給装置。
【請求項２】
第１方向作動機構を回転駆動手段が第１の回転方向に回転した場合に、駆動力を伝達する第１方向伝達手段と、
該第１方向伝達手段から受けた駆動力によって、弁、又は案内通路を第１の球通路に遊技球が導かれる位置に移動させる第１方向移動手段とし、
第２方向作動機構を回転駆動手段が第２の回転方向に回転した場合に、駆動力を伝達する第２方向伝達手段と、
該第２方向伝達手段から受けた駆動力によって、上記弁、又は上記案内通路を第２の球通路に遊技球が導かれる位置に移動させる第２方向移動手段とにしたことを特徴とする請求項１記載の遊技球供給装置。
【発明の詳細な説明】
【０００１】
【発明の属する技術分野】
本発明は、パチンコ機などの遊技球によって遊技を行う遊技機の遊技球を供給する装置に関する。
【０００２】
【発明が解決しようとする課題】
従来、遊技機において、遊技球を供給する装置としては、賞球払出装置や、貸し玉払出装置が用いられている。これら払出装置は、従来１つの払出機構によって、賞球と、貸し球とを区別することなく玉受け皿に払い出していた。ところが、最近、払出装置から払い出された遊技球が賞球であるのか、貸し玉であるのかを、判別可能な構成が遊技機に要求されるようになり、特許願平成１１年１７３２７号にあるような技術が提案されている。この技術では、賞球払出装置と、貸し玉払出装置とを別体にすることにより、払い出された遊技球が賞球であるのか、貸し玉であるのかを区別可能にしている。
【０００３】
又、１台の払出機構と、通路切換機構とを用いて、払い出された遊技球の区別を行う技術が実用化されている。
【０００４】
しかしながら、これらの技術では、殆ど同一の作用を有する払出機構が２台必要であったり、弁を切り換えるアクチュエータを用いることが必要であったりして、部品点数の削減や低コスト化の余地を残すものであった。
【０００５】
そこで、本発明では、１台の払出機構で、アクチュエータを用いることなく、賞球と貸し玉とを、区別して払い出すことを可能にする遊技球供給装置の提供を目的とする。
【０００６】
【課題を解決するための手段】
上記課題を解決する手段として、請求項１の発明の遊技球供給装置は、遊技球を通す供給側球通路と、該供給側球通路から受け入れた遊技球を送出する送出手段と、少なくとも第１の回転方向に回転することによって、上記送出手段を駆動する回転駆動手段と、上記回転駆動手段が第１の回転方向に回転駆動された場合に、該送出手段によって送出された遊技球を第１の球通路に導くと共に、第２の回転方向に回転駆動された場合には、上記遊技球を第２の球通路に導く球通路切換手段とを備え、上記球通路切換手段を上記回転駆動手段が第１の回転方向に回転駆動された場合に作動する第１方向作動機構と、上記回転駆動手段が第２の回転方向に回転駆動された場合に作動する第２方向作動機構と、上記第１方向作動機構が作動することによって第１の球通路に遊技球を導くと共に、上記第２方向作動機構が作動することによって第２の球通路に遊技球を導く弁、又は案内通路とにしたことを要旨とする。
【００１１】
これにより、供給側球通路から供給された遊技球は、回転駆動手段によって駆動される送出手段によって球通路切換手段に送出される。球通路切換手段では、回転駆動手段が第１の回転方向に回転した場合には、遊技球を第１の球通路に導き、第２の回転方向に回転した場合は、遊技球を第２の球通路に導く。
【００１２】
従って、回転駆動手段の回転によって送り出されてきた遊技球は、この回転駆動手段の回転方向によって、導かれる球通路が決定される。
【００１３】
この結果、送出手段を回転駆動する回転駆動手段だけで、遊技球の送り出しと、分別とを両方とも行うことができ、アクチュエータ等の駆動装置を使う必要がなくなって、複雑な部品の削減が図れ、製造コストが低減されると言う極めて優れた効果を奏する。
【００２６】
また、回転駆動手段が第１の回転方向に回転駆動されると、第１方向作動機構が作動して、弁又は案内通路が遊技球を第１の球通路に導き、回転駆動手段が第２の回転方向に回転駆動されると、第２方向作動機構が作動して、弁又は案内通路が遊技球を第２の球通路に導く。
【００２９】
請求項２の発明の遊技球供給装置は、第１方向作動機構を回転駆動手段が第１の回転方向に回転した場合に、駆動力を伝達する第１方向伝達手段と、該第１方向伝達手段から受けた駆動力によって、弁、又は案内通路を第１の球通路に遊技球が導かれる位置に移動させる第１方向移動手段とし、第２方向作動機構を回転駆動手段が第２の回転方向に回転した場合に、駆動力を伝達する第２方向伝達手段と、該第２方向伝達手段から受けた駆動力によって、上記弁、又は上記案内通路を第２の球通路に遊技球が導かれる位置に移動させる第２方向移動手段とにしたことを特徴とする請求項１記載の遊技球供給装置を要旨とする。
【００３０】
回転駆動手段が第１の回転方向に回転した場合に、第１方向伝達手段が駆動力を伝達し、弁又は案内通路が遊技球を第１の球通路に導く位置に移動し、回転駆動手段が第２の回転方向に回転した場合に、第２方向伝達手段が駆動力を伝達し、弁又は案内通路が遊技球を第２の球通路に導く位置に移動する。
【００３１】
【発明の実施の形態】
次に発明の実施の形態を説明する。
【００３２】
図１は、遊技球供給装置１の構成を正面から示す構成図、図２は、パチンコ遊技機３の背面図、図３は、遊技球供給装置１の構成を左側面から示す構成図、図４は、遊技球供給装置１の作動を説明するための説明図、図５は、弁５の外観図、図６は、制御装置７のブロック図である。  遊技球供給装置１は、図２に示すパチンコ遊技機３に用いられるものである。パチンコ遊技機３は、玉タンク９と、球通路１１と、遊技球供給装置収納部１３と、球通路１５と、玉受け皿排出口１７と、遊技機コンピュータ１９とを備えている。
【００３３】
玉タンク９は、図示しない遊技球還元装置から供給された遊技球２１を一時蓄え、球通路１１に供給する。球通路１１は、玉タンク９から供給された遊技球２１を、遊技球供給装置収納部１３内に設置されている図１、図３、図４に示す遊技球供給装置１に供給する。
【００３４】
球通路１５は、遊技球供給装置１が払い出した賞球と、貸し玉とを通し、玉受け皿排出口１７に供給する。玉受け皿排出口１７は、図示しない玉受け皿に遊技球２１を供給する。玉受け皿に供給された遊技球２１は、パチンコ遊技機３によるパチンコ遊技に利用される。遊技機コンピュータ１９は、パチンコ遊技機３を制御して、パチンコ遊技を提供する。
【００３５】
賞球と、貸し玉とを払い出す遊技球供給装置１は、図１に示すように、供給側球通路２３と、賞球側球通路２５と、貸し玉側球通路２７と、玉分配機構２９と、遊技球センサ３１、３３とを備えている。
【００３６】
供給側球通路２３は、球通路１１に連結されており、玉タンク９からの遊技球２１を、玉分配機構２９に供給する。
【００３７】
玉分配機構２９は、一部分を省略して示す回転羽３５と、歯車３７、歯車３９、歯車４１、歯車４３、歯車４５と、円板４７と、リンク付弁４９と、図３に示すモータ５１と、一部分を断面で示す本体５３とを備えている。
【００３８】
本体５３は、遊技球供給装置収納部１３内の図示しない構成部材に取り付けられている。モータ５１は、ステップモータが用いられ、本体５３に固定されている。モータ５１は、詳細を後述する制御装置７によって、回転駆動される。
【００３９】
モータ５１は、回転軸５５を備え、回転軸５５の端部５７には、歯車４５が取り付けられている。回転軸５５と歯車４５とは、固定されている。歯車４５とモータ５１との間には、円板４７が介装されている。円板４７と、回転軸５５との間には軸受部５９が構成され、円板と４７と、回転軸５５とは、軸受部５９によって、回動自在である。歯車４５には、図１に示す配置で、歯車３９と、歯車４３とが常時噛み合っている。歯車４３には、歯車４１が常時噛み合っている。
【００４０】
歯車３９と、歯車４３と、歯車４１とは、軸受部６１、６３、６５を有し、軸受部６１、６３、６５には、回転軸６７、６９、７１が介装されている。回転軸６７、６９、７１は、それぞれ図１に示す配置で、円板４７に固定されている。
【００４１】
従って、歯車３９、４１、４３は、円板４７上に位置し、円板４７の回転に伴って、移動する。歯車３９と、４１とは、同一の歯数を有し、常に逆方向に回転する。
【００４２】
円板４７の外周部には、１個の突起７３が形成されている。突起７３は円板４７の回転に伴って円軌道で移動する。突起７３の円軌道を遮る位置に、２個のストッパ７５、７７が配置されている。ストッパ７５、７７は、本体５３に固定されている。ストッパ７５、７７の位置は、図１、図４に示す位置であり、突起７３は、両ストッパ７５、７７の間に位置するように、組み付けられる。一方のストッパ７５は、突起７３がストッパ７５に当接している場合に、図１に示すように、歯車３９が歯車３７に噛み合う位置に配置される。他方のストッパ７７は、突起７３がストッパ７７に当接している場合に、図４に示すように、歯車４１が歯車３７に噛み合う位置に配置される。
【００４３】
歯車３７は、図３に示すように、回転軸７９の一端部８１に取り付けられている。回転軸７９と歯車３７とは固定されており、回転軸７９は、本体５３に回転自在に取り付けられている。回転軸７９は、他端８３に回転羽３５が取付られている。回転軸７９と回転羽３５とは、固定されている。従って、歯車３７の回転は、回転羽３５に伝えられる。
【００４４】
回転羽３５は、供給側球通路２３に臨んで配置されており、慣用されているスプロケット形状を有し、供給側球通路２３と協働して、矢印ＹＡ方向に回転することによって、遊技球２１を１個ずつ回転羽３５の搬送位置８５に収容して、出球位置８７に送出する。
【００４５】
円板４７は、図１に示す位置に配置されたキー部材８９を備えている。キー部材８９は、キー９１と、圧縮バネ９３と、ホルダ９５とからなり、ホルダ９５が円板４７に取り付けられている。キー９１は、圧縮バネ９３を介して、ホルダ９５に挿入されており、キー頭部９７が歯車４５の歯の谷に、歯車４５の周方向に対して垂直方向から嵌っている。これにより、キー部材８９は、キー頭部９７が圧縮バネ９３の付勢力によって、歯車４５の谷に入っている間は、歯車４５と共に円板４７を回転させ、キー頭部９７が圧縮バネ９３の付勢力に打ち勝って、歯車４５の谷から押し出されると歯車４５だけ回転させる。
【００４６】
円板４７には、図１に示す位置に、突起１０１が取り付けられている。突起１０１は、図３に示すような棒状であって、円板４７の回転に伴って、図１に示す位置から図４に示す位置までの間を移動して、リンク付弁４９と共働して、弁５を移動させる。
【００４７】
リンク付弁４９は、図３、図５に示すように、リンク１０３と、回転軸１０５と、弁５とを備えている。回転軸１０５は、本体５３に回動自在に取り付けられている。リンク１０３は、突起１０１と連結される連結孔１０７と、回転軸１０５との連結部１０９とを有し、円板４７が回転すると、共に移動して、回転軸１０５を揺動させる。
【００４８】
連結孔１０７は、突起１０１の外形より、大きく形成されており、突起１０１とリンク１０３との間に遊びを提供することにより、図１、又は図４に示す位置では、リンク１０３と、突起１０１との離間を図る。この離間により、遊技球２１が弁５に衝突することによって発生する振動や、ショックを弁５側から玉分配機構２９に伝達されないようにする。これにより、誤動作の防止を図ると共に、耐久性の向上を図る。
【００４９】
弁５は、突起１０１によって、リンク１０３が図１の位置に移動させられている場合には、回転軸１０５の揺動に伴って、貸し玉側球通路２７の開口部１１１を塞ぐ位置に移動し、一方、突起１０１によって、リンク１０３が図４の位置に移動させられている場合には、回転軸１０５の揺動に伴って、賞球側球通路２５の開口部１１３を塞ぐ位置に移動する。
【００５０】
弁５は、貸し玉側球通路２７の開口部１１１を塞ぐ位置に移動することにより、出球位置８７に送出された遊技球２１を全て、賞球側球通路２５内に導き、一方賞球側球通路２５の開口部１１３を塞ぐ位置に移動することにより、出球位置８７に送出された遊技球２１を全て、貸し玉側球通路２７内に導く。
【００５１】
以上の構成により、玉分配機構２９は、歯車４５が矢印ＹＢ方向に回転を開始すると、これに伴って円板４７が矢印ＹＢ方向に回転し、突起７３がストッパ７７に当接するまで、円板４７を回転させる。図４に示すように、突起７３がストッパ７７に当接すると、円板４７の回転は停止するが、歯車４５の回転は、継続される。円板４７の突起１０１は、図４に示す位置になり、弁５は、賞球側球通路２５を塞いで、貸し玉側球通路２７内に遊技球２１が全て導かれるようにする。歯車４５の回転は、歯車４３と、歯車４１とを経由して歯車３７に伝達され、回転羽３５を矢印ＹＡ方向に回転させる。これにより、遊技球２１が回転羽２１によって送出され、遊技球２１は、全て、貸し玉側球通路２７内に送り込まれる。
【００５２】
一方、玉分配機構２９は、歯車４５が矢印ＹＣ方向に回転を開始すると、これに伴って円板４７が矢印ＹＣ方向に回転し、突起７３がストッパ７５に当接するまで、円板４７を回転させる。図１に示すように、突起７３がストッパ７５に当接すると、円板４７の回転は停止するが、歯車４５の回転は、継続される。円板４７の突起１０１は、図１に示す位置になり、弁５は、貸し玉側球通路２７を塞いで、賞球側球通路２５内に遊技球２１が全て導かれれるようにする。歯車４５の回転は、歯車３９を経由して歯車３７に伝達され、回転羽３５を矢印ＹＡ方向に回転させる。これにより、遊技球２１が回転羽２１によって送出され、遊技球２１は、全て、賞球側球通路２５内に送り込まれる。
【００５３】
図１に示す遊技球センサ３１は、賞球側球通路２５に取り付けられ、遊技球供給装置１が賞球を１個払い出すと、遊技球信号ＹＳを１個出力する。遊技球センサ３３は、貸し玉側球通路２７に取り付けられ、遊技球供給装置１が貸し玉を１個払い出すと、遊技球信号ＫＳを１個出力する。
【００５４】
遊技球信号ＹＳ，ＫＳは、図２に示す遊技機コンピュータ１９の一部を構成する制御装置７に入力されている。
【００５５】
制御装置７は、図６に示すようにＣＰＵ、ＲＯＭ、ＲＡＭ、入力インタフェース、出力インタフェースを有するマイクロコンピュータ制御ユニット１２１と、モータ駆動回路１２３とから構成されている。モータ駆動回路１２３は、マイクロコンピュータ制御ユニット１２１からの指令に応じた量だけモータ５１を駆動する。マイクロコンピュータ制御ユニット１２１は、ＲＯＭ内に格納されているプログラムに基づいて、所定の演算処理を行って、次に示す処理を行う。
【００５６】
▲１▼遊技機コンピュータ１９から出力された賞球数信号を入力インタフェースから入力して、賞球数信号に対応する賞球数を演算し、この賞球数に対応するステップ数だけ、モータ５１を図１に示す矢印ＹＣ方向に回転駆動する。前回モータを矢印ＹＢ方向に回転させていた場合は、円板４７の突起７３がストッパ７７からストッパ７５まで、移動する回転角度分だけ、ステップ数を加える。
【００５７】
▲２▼▲１▼の処理後、遊技球センサ３１が検出した遊技球２１の数を遊技球信号ＹＳによって計算し、賞球数に達したか判断して、達しない場合には、不足数分に対応するステップ数だけ、モータ５１を追加駆動する。
【００５８】
▲３▼台間貸し玉機１２５から出力された貸し玉数信号を入力インタフェースから入力して、貸し玉数信号に対応する貸し玉数を演算し、この貸し玉数に対応するステップ数だけ、モータ５１を図１に示す矢印ＹＢ方向に回転駆動する。前回モータを矢印ＹＣ方向に回転させていた場合は、円板４７の突起７３がストッパ７５からストッパ７７まで、移動する回転角度分だけ、ステップ数を加える。
【００５９】
▲４▼▲３▼の処理後、遊技球センサ３３が検出した遊技球２１の数を遊技球信号ＫＳによって計算し、貸し玉数に達したか判断して、達しない場合には、不足数分に対応するステップ数だけ、モータ５１を追加駆動する。
【００６０】
以上に説明した制御装置７は、遊技球供給装置１と共働することによって、賞球の払い出しの指令を遊技機コンピュータ１９から受けた場合には、指令を受けた数だけ正確に、遊技球２１を、賞球側球通路２５に払い出させ、貸し玉の払い出しの指令を玉貸し装置１２５から受けた場合には、指令を受けた数だけ正確に、遊技球２１を、貸し玉側球通路２７に払い出させる。
【００６１】
次にその他の実施の形態を説明する。
【００６２】
図７は、リンク付弁４９に替わる構成の歯車付弁２０１の説明図である。
【００６３】
歯車付弁２０１は、歯車板２０３と、回転軸２０５と、弁２０７とを有し、一部分のみ示す円板２０９の外周に形成された歯２１１と組み合わされて用いられる。
【００６４】
回転軸２０５と、弁２０７とは、図５に示したリンク付弁４９の回転軸１０５と、弁５とに対応し、ほぼ同一構成である。
【００６５】
円板２０９は、図１に示す円板４７とほぼ同様構成であって、突起１０１に替えて、歯２１１が形成されている。
【００６６】
歯車板２０３は、図５に示すリンク１０３に替えて用いられる。歯車板２０３は、歯車を扇型に切断した形状を有し、歯２１３が円板２０９の歯２１１に、常時噛み合わされる。
【００６７】
これにより、リンク付弁４９を用いたものと同様に、円板２０９がモータ５１の回転によって、回転すると、歯車板２０３も回転し、弁２０７も移動する。従って、モータ５１の回転方向を切り換えるだけで、弁２０７の切換が行なわれ、遊技球２１の導かれる通路を決めることができる。
【００６８】
図８は、他の実施の形態の円板３０１の説明図である。図１に示す円板４７と、キー部材８９に替えて用いる。円板３０１は、突起３０５を有する。突起３０５は、図１に示す突起７３と同様の構成、及び作用を有する。円板３０１には、図１に示すキー部材８９に替えて、４箇所のブレーキ機構３０７が設けられている。ブレーキ機構３０７は、円板３０１の回転軸５５に面する側に十字状に形成された４個のピン孔３１１と、圧縮バネ３１３と、ピン３１５とから構成されている。ピン３１５は、圧縮バネ３１３を介して、ピン孔３１１に介装されている。ピン３１５は、円筒状であり、筒頭３１７が圧縮バネ３１３の付勢力によって、回転軸５５に押し当てられている。
【００６９】
これにより、リンク付弁４９と、歯車４５とによって発揮する作用とほぼ同様の作用を有するブレーキ力を発生し、モータ５１の回転初期に、円板３０１を回転させ、突起３０５がストッパ７５、７７に当接したら、円板３０１のみ停止させる。
【００７０】
図９は、他の実施の形態の円板４０１の説明図である。図１に示す円板４７に替えて円板４０１を用い、キー部材８９に替えてと、キー機構４０３を用いる。突起７３と、突起１０１と、歯車４５とは、同一構造である。歯車４５は、図９の（Ａ）では、キー機構４０３に重なる部分は、省略して描いて有る。歯車４５と、円板４０１との間に、キー機構４０３が設けられている。
【００７１】
キー機構４０３は、十字状筒部材４０５と、圧縮バネ４０７と、キー４０９と、突起４１１とから構成されている。十字状筒部材４０５は、回転軸５５に固定されている。キー４０９は、円板４０１と共に回転する。突起４１１は、円柱状であって、円板４０１上に、キー４０９の進路を遮る位置に、８箇所取り付けられている。キー４０９は、突起４１１に当接すると、圧縮バネ４０７の付勢力に抗して、十字状筒部材４０５内に押し込まれる。十字状筒部材４０５内に押し込まれることで、円板４０１が停止したままで、回転軸５５が回転する。
【００７２】
これにより、リンク付弁４９と、歯車４５とによって発揮する作用とほぼ同様の作用を有するブレーキ力を発生し、モータ５１の回転初期に、円板４０１を回転させ、突起７３がストッパ７５、７７に当接したら、円板４０１のみ停止させる。
【００７３】
なお、十字状筒部材４０５が回転方向を逆方向に反転したとき、キー４０９が今まで当接していた突起４１１から離れて、次の突起４１１に当接するまで、円板４０１を移動させることなく十字状筒部材４０５が８分の１回転だけ回転する。この間は、歯車４５と歯車３７との間の連結状態が維持されている。
【００７４】
この回転によって、回転羽３５は、歯車４５と、歯車３７との間の減速率に応じた量だけ逆方向に回転する。ここでは、歯車３７の歯数が歯車４５の歯数より大きい上に、回転羽３５が６枚羽であることから、歯車４５が８分の１回転しても、回転羽３５は僅かしか回転することはない。従って、回転羽３５は、隣の搬送位置８５に遊技球２１が入るほど大きく逆方向に回転することはない。
【００７５】
図９の（Ｂ）は、十字状筒部材４０５と、圧縮バネ４０７と、キー４０９とに替えて用いる星形針金４２１の説明図である。星形針金４２１は、針金部材４２３が６本、回転軸５５に星形に取り付けられている。
【００７６】
星形針金４２１の先端４２５は、キー４０９の先端４１９の位置とほぼ同様の位置である。
【００７７】
これにより、十字状筒部材４０５と、圧縮バネ４０７と、キー４０９とを用いたのと同様の作用が得られる。
【００７８】
図１０は、通路移動型玉分配機構５０１の説明図である。
【００７９】
通路移動型玉分配機構５０１は、一部を省略して表示した出球通路５０３と、賞球側球通路５０５と、貸し玉側球通路５０７と、円板５０９と、歯車５１１、歯車５１３、歯車５１５と、歯台５２５とを備えている。円板５０９は、図７に示した円板２０９と同様のものである。出球通路５０３は、図１の出球位置８７に連結される球通路であって、出球位置８７に送出されてきた遊技球２１を、下方に排出する。
【００８０】
賞球側球通路５０５は、入球孔５２１を有し、貸し玉側球通路５０７は、入球孔５２３を有する。入球孔５２１、５２３は、出球通路５０３から排出された遊技球２１が入球する開口である。両入球孔５２１、５２３は、歯台５２５に取り付けられている。歯台５２５は、歯５２７が形成されており、歯５２７の方向ＨＡに摺動可能にされている。
【００８１】
歯台５２５の歯５２７と、円板５０９の歯５３１とには、歯車５１１が噛み合っている。歯車５１１は、本体５３に回転軸５３３が取り付けられ、遊転する。
【００８２】
歯台５２５の一方の端部５３５に臨んで歯車５１５が、他方の端部５３７に臨んで歯車５１３が取り付けられている。歯車５１５の回転軸５４１は、歯台５２５の賞球側球通路５０５側に取り付けられており、歯車５１５は、遊転する。歯車５１３の回転軸５４３は、歯台５２５の貸し玉側球通路５０７側に取り付けられており、歯車５１３は、遊転する。歯台５２５の歯５２７と、歯車５１５の歯と、歯車５１３の歯とは、連続な歯列を構成するように１列に配置されている。
【００８３】
これらにより、円板５０９が矢印ＹＨ方向に回転することにより、歯車５１１を介して、歯台５２５が矢印ＹＫ方向に摺動する。矢印ＹＫ方向への移動が進んで、歯台５２５の歯５２７が歯車５１１と噛み合う位置を越えると、歯車５１１と歯車５１３とが噛み合うようになる。歯車５１３は、遊転歯車なので、空回り状態になり、円板５０９が回転を続けても歯台５２５の移動は停止する。
【００８４】
この状態で、出球通路５０３から排出された遊技球２１が貸し玉側球通路５０７に入ることになる。
【００８５】
一方、円板５０９が矢印ＹＩ方向に回転することにより、歯車５１１を介して、歯台５２５が矢印ＹＪ方向に摺動する。矢印ＹＪ方向への移動が進んで、歯台５２５の歯５２７が歯車５１１と噛み合う位置を越えると、歯車５１１と歯車５１５とが噛み合うようになる。歯車５１５は、遊転歯車なので、空回り状態になり、円板５０９が回転を続けても歯台５２５の移動は停止する。この状態で、出球通路５０３から排出された遊技球２１が賞球側球通路５０５に入ることになる。
【００８６】
以上に説明したように、モータ５１によって回転する円板５０９の回転によって、遊技球が導かれる球通路自身が移動する。これにより、遊技球２１が導かれる球通路をモータ５１の回転方向で選択することができる。
【００８７】
なお、歯台５２５を本体５３に固定し、出球通路５０３と円板５０９とを移動するようにしても良い。
【００８８】
図１１は、他の実施の形態の玉分配機構６０１の説明図である。
【００８９】
玉分配機構６０１は、模式化して示す回転羽６３５と、歯車６３７、歯車６３９、歯車６４１、歯車６４３、歯車６４５と、円板６４７とを備えている。他は、図１に示した玉分配機構２９と同様の構成である。
【００９０】
歯車６４５と、図１に示す歯車４５とは、同様の構成である。歯車６３７と、歯車６３９と、歯車６４１と、歯車６４３とは、全て本体５３に回動自在に取り付けられており、歯車６４５と、歯車６３７と、歯車６３９と、歯車６４１と、歯車６４３とは、全て図１１に示す状態で、常時噛み合っている。
【００９１】
図１２の（Ａ）は、歯車６４１と、歯車６３７との噛み合わせ状態を示し、図１２の（Ｂ）は、歯車６３９と、歯車６３７との噛み合わせ状態を示す。
【００９２】
歯車６４１は、歯車６３７と噛み合うワンウエイ歯部６５１を備えている。ワンウエイ歯部６５１は、蝶番６５３と、ワンウエイ歯６５５と、圧縮バネ６５７と、突起６５９とを備えている。これにより、ワンウエイ歯６５５は、蝶番６５３を支点にして、歯車６４１の外周方向に揺動するとともに、外周方向に付勢されている。従って、ワンウエイ歯部６５１は、歯車６３７と常時噛み合うとともに、矢印ＹＬ方向に歯車が回転した場合には、押し下げられて、歯車６４１を空回りさせ、反矢印ＹＬ方向に歯車６４１が回転した場合には、歯車６４１から歯車６３７に駆動力を伝達する。
【００９３】
これにより、歯車６４５が図１１に示す矢印ＹＭ方向に回転した場合に、歯車６３７を矢印ＹＯ方向に回転させ、回転羽６３５が遊技球２１を送球する。歯車６４５が矢印ＹＮ方向に回転した場合は、歯車６４１によっては、回転羽６３５羽回転駆動されることはない。従って、回転羽６３５は、矢印ＹＯとは反対の方向に回転することはない。
【００９４】
歯車６３９は、歯車６３７と噛み合うワンウエイ歯部６６１を備えている。ワンウエイ歯部６６１は、蝶番６６３と、ワンウエイ歯６６５と、圧縮バネ６６７と、突起６６９とを備えている。これにより、ワンウエイ歯６６５は、蝶番６６３を支点にして、歯車６３９の外周方向に揺動するとともに、外周方向に付勢されている。従って、ワンウエイ歯部６６１は、歯車６３７と常時噛み合うとともに、矢印ＹＰ方向に歯車が回転した場合には、押し下げられて、歯車６３９を空回りさせ、反矢印ＹＰ方向に歯車６３９が回転した場合には、歯車６３９から歯車６３７に駆動力を伝達する。
【００９５】
これにより、歯車６４５が図１１に示す矢印ＹＮ方向に回転した場合に、歯車６３７を矢印ＹＯ方向に回転させ、回転羽６３５が遊技球２１を送球する。歯車６４５が矢印ＹＭ方向に回転した場合は、歯車６４１によっては、回転羽６３５羽回転駆動されることはない。従って、回転羽６３５は、矢印ＹＯとは反対の方向に回転することはない。
【００９６】
以上に示した、玉分配機構６０１により、モータ５１がどちらの方向に回転しても、回転羽６３５は、矢印ＹＯ方向に回転して、遊技球２１を送球する。
【００９７】
次に特許請求の範囲の各手段と、発明の実施の形態との対応関係を説明する。
【００９８】
送出手段は、回転羽３５が対応する。
【００９９】
回転駆動手段は、モータ５１と、玉分配機構２９が対応する。
【０１００】
球通路切換手段は、玉分配機構２９と、リンク付き弁４９が対応する。
【０１０１】
第１方向作動機構は、玉分配機構２９、又は通路移動型玉分配機構５０１が対応する。
【０１０２】
第１の球通路に遊技球を導く弁は、リング付き弁４９が対応する。
【０１０３】
案内通路は、賞球側球通路５０５、又は貸し玉側球通路５０７が対応する。
【図面の簡単な説明】
【図１】  遊技球供給装置１の構成を正面から示す構成図である。
【図２】  パチンコ遊技機３の背面図である。
【図３】  遊技球供給装置１の構成を左側面から示す構成図である。
【図４】  遊技球供給装置１の作動を説明するための説明図である。
【図５】  弁５の外観図である。
【図６】  制御装置７のブロック図である。
【図７】  リンク付弁４９に替わる構成の歯車付弁２０１の説明図である。
【図８】  他の実施の形態の円板３０１の説明図である。
【図９】  円板４０１の説明図である。
【図１０】  通路移動型玉分配機構５０１の説明図である。
【図１１】  玉分配機構６０１の説明図である。
【図１２】  歯車６４１と、歯車６３７との噛み合わせ状態と、歯車６３９と、歯車６３７との噛み合わせ状態を示す説明図である。
【符号の説明】
１…遊技球供給装置、３…パチンコ遊技機、５…弁、
７…制御装置、２１…遊技球、２９…玉分配機構、
４５…歯車、４７…円板、４９…リンク付弁、
５１…モータ、５３…本体、５５…回転軸、
７３…突起、７５…ストッパ、
８７…出球位置、８９…キー部材、１０１…突起、
１０３…リンク、１０５…回転軸、２０１…歯車付弁、
２０３…歯車板、２０５…回転軸、２０７…弁、
２０９…円板、２１１…歯、２１３…歯、
３０１…円板、３０５…突起、３０７…ブレーキ機構、
３１１…ピン孔、３１３…圧縮バネ、３１５…ピン、
３１７…筒頭、４０１…円板、
４０３…キー機構、４０５…十字状筒部材、４０７…圧縮バネ、
４０９…キー、４１１…突起、４１９…先端、
４２１…星形針金、４２３…針金部材、４２５…先端、
５０１…通路移動型玉分配機構、５０３…出球通路、５０５…賞球側球通路、
５０７…貸し玉側球通路、５０９…円板、５１１…歯車、
５１３…歯車、５１５…歯車、５２１…入球孔、
５２１…両入球孔、５２３…入球孔、５２５…歯台、
５２７…歯、５３１…歯、５３３…回転軸、
５３５…端部、５４１…回転軸、５４３…回転軸、
６０１…玉分配機構、６３５…回転羽、６３７…歯車、
６３９…歯車、６４１…歯車、
６４３…歯車、６４５…歯車、６４７…円板、
６５１…ワンウエイ歯部、６５３…蝶番、６５５…ワンウエイ歯、
６５７…圧縮バネ、６５９…突起、６６１…ワンウエイ歯部、
６６３…蝶番、６６５…ワンウエイ歯、６６７…圧縮バネ、
６６９…突起、
【図１】
0004352510.tif 000002
【図２】
0004352510.tif 000003
【図３】
0004352510.tif 000004
【図４】
0004352510.tif 000005
【図５】
0004352510.tif 000006
【図６】
0004352510.tif 000007
【図７】
0004352510.tif 000008
【図８】
0004352510.tif 000009
【図９】
0004352510.tif 000010
【図１０】
0004352510.tif 000011
【図１１】
0004352510.tif 000012
【図１２】
0004352510.tif 000013